(57)【要約】【課題】  カメラに電力を供給することができる三脚を提供する。【解決手段】  カメラ固定ネジ１７を用いてデジタルカメラ２を三脚１７にセットした状態で、手動で回転レバー２４を回転させた場合、発電機２７よって発電が行われる。発電機２７で発生した電力はカメラ用充電回路６２を介してカメラ用バッテリ１４に供給される。デジタルカメラ２が三脚１７にセットされていない状態で、回転レバー２４を回転させた場合、発電機２７で発生した電力は三脚用充電回路６８を介して三脚用バッテリ２６に供給される。デジタルカメラ２を三脚１７にセットした状態で、回転レバー２４を回転させない場合、三脚用バッテリ２６に蓄えられていた電力がカメラ用充電回路６２を介してカメラ用バッテリ１４に供給される。【選択図】        図３
2005345908.tif 000002
【特許請求の範囲】
【請求項１】
カメラ用二次電池と、このカメラ用二次電池に充電を行うカメラ用充電回路とが組み込まれたカメラを固定する三脚において、
前記カメラが載置される雲台と、
手動で回転される回転部材と、
前記回転部材で生じた回転力を電力に変換する発電手段と、
前記発電手段による発電を検出する発電検出手段と、
前記カメラを前記雲台に固定する固定手段と、
前記発電手段と前記カメラとを電気的に接続する接続手段と、
前記固定手段により前記カメラが前記雲台に固定されたことを検出する固定検出手段と、
前記発電検出手段、及び前記固定検出手段によって検出が行われた場合に、前記発電手段により発生した電力を前記カメラ用充電回路に供給する制御手段とを備えたことを特徴とする三脚。
【請求項２】
三脚用二次電池と、この三脚用二次電池に充電を行う三脚用充電回路とを設け、
前記制御手段は、前記固定検出手段による検出が行われずに前記発電検出手段による検出が行われた場合、前記発電手段により発生した電力を前記三脚用充電回路に供給することを特徴とする請求項１記載の三脚。
【請求項３】
前記固定手段により前記カメラが前記雲台に固定されている状態で前記発電手段で発電された場合、前記発電手段と前記カメラ用充電回路とを電気的に接続して、前記発電手段により発生した電力を前記カメラ用充電回路に供給可能にした第１状態と、
前記固定手段により前記カメラが前記雲台に固定されていない状態で前記発電手段で発電された場合、前記発電手段と前記三脚用充電回路とを電気的に接続して、前記発電手段により発生した電力を前記三脚用充電回路に供給可能にした第２状態と、
前記固定手段により前記カメラが前記雲台に固定されている状態で前記発電手段で発電されなかった場合、前記カメラ用充電回路と前記三脚用二次電池とを電気的に接続して、前記三脚用二次電池に蓄えられた電力を前記カメラ用充電回路に供給可能にした第３状態との間で切り替える電力供給状態切り替え手段を備え、
前記制御手段は、前記固定検出手段、及び前記発電検出手段の検出結果に基づいて前記電力供給状態切り替え手段の動作を制御することを特徴とする請求項２記載の三脚。
【請求項４】
前記回転部材は、前記雲台の高さを調整する操作レバーを兼用していることを特徴とする請求項１ないし３のいずれか１つに記載の三脚。
【請求項５】
前記回転部材の回転力を前記発電手段に伝達可能とする回転力伝達可能状態と、前記回転部材の回転力を前記発電手段に伝達不能とする回転力伝達不能状態との一方を選択する操作部と、
前記操作部の操作に応じて前記回転力伝達可能状態と前記回転力伝達不能状態とを切り替える回転力伝達状態切り替え手段とを設けたことを特徴とする請求項１ないし４のいずれか１つに記載の三脚。
【発明の詳細な説明】
【技術分野】
【０００１】
本発明は、充電装置として利用することができる三脚に関するものである。
【背景技術】
【０００２】
カメラでセルフタイマーによる撮影、望遠撮影、リモコン撮影、スローシャッター撮影などを行う場合には一般的に三脚が用いられる。最近、市販されている三脚は携帯性に優れた構造をしているため、気軽に持ち運ぶことができ、野外などの様々な場所で広く使用されている。
【０００３】
ところで、野外でカメラを使用する場合、カメラに電力を供給する電源として一次電池や二次電池が利用される。しかし、一次電池や二次電池は消耗品であるため、野外でカメラを長時間使用する場合には、未使用の一次電池や、すでに充電が完了している二次電池をバックアップ用の電池として別に用意しておく必要があった。特に、デジタルカメラの場合、デジタルカメラにはＣＣＤ、ＣＰＵ、ＬＣＤなどの電子部品が使用されているので、消費電力が大きく、電池は短時間で消耗してしまう。そのため、一次電池の補充や二次電池への電力の供給を容易に行うことができないような環境下（例えば、未開の山岳地帯、海上、砂漠など）で長時間亘って撮影を行う場合には、多くのバックアップ用の電池を用意しなければならなず、非常に繁雑であり、また、撮影にかかるコストが高くなってしまうといった問題があった。
【０００４】
このようなことから、電池を使用したカメラでも長時間携帯して使用できるように様々な工夫がされている。例えば、特許文献１には、ぜんまい式バッテリーをカメラ内部に搭載したシステムが開示されている。このシステムは、ぜんまいばねを巻き上げてロックし、そのロックを解除した際に生じる回転力を電力に変換して、その電力をカメラに供給するといったものである。
【０００５】
【特許文献１】特開平５−２８４６９０
【発明の開示】
【発明が解決しようとする課題】
【０００６】
しかしながら、上述したシステムでは、カメラ内にぜんまいばね式バッテリーを新たに搭載しなければならないため、その分だけカメラが大きくなってしまうという欠点があった。
【０００７】
本発明は、上記課題を解決するためになされたものであり、カメラを大型化させることなく、いつでもどこでも容易にカメラに電力を供給することができる三脚を提供することを目的とする。
【課題を解決するための手段】
【０００８】
上記目的を達成するために、本発明の三脚は、カメラ用二次電池と、このカメラ用二次電池に充電を行うカメラ用充電回路とが組み込まれたカメラを固定するものであり、前記カメラが載置される雲台と、手動で回転される回転部材と、前記回転部材で生じた回転力を電力に変換する発電手段と、前記発電手段による発電を検出する発電検出手段と、前記カメラを前記雲台に固定する固定手段と、前記発電手段と前記カメラとを電気的に接続する接続手段と、前記固定手段により前記カメラが前記雲台に固定されたことを検出する固定検出手段と、前記発電検出手段、及び前記固定検出手段によって検出が行われた場合に、前記発電手段により発生した電力を前記カメラ用充電回路に供給する制御手段とを備えたことを特徴とする。
【０００９】
三脚用二次電池と、この三脚用二次電池に充電を行う三脚用充電回路とを設け、前記制御手段は、前記固定検出手段による検出が行われずに前記発電検出手段による検出が行われた場合、前記発電手段により発生した電力を前記三脚用充電回路に供給することが好ましい。
【００１０】
また、前記固定手段により前記カメラが前記雲台に固定されている状態で前記発電手段で発電された場合、前記発電手段と前記カメラ用充電回路とを電気的に接続して、前記発電手段により発生した電力を前記カメラ用充電回路に供給可能にした第１状態と、前記固定手段により前記カメラが前記雲台に固定されていない状態で前記発電手段で発電された場合、前記発電手段と前記三脚用充電回路とを電気的に接続して、前記発電手段により発生した電力を前記三脚用充電回路に供給可能にした第２状態と、前記固定手段により前記カメラが前記雲台に固定されている状態で前記発電手段で発電されなかった場合、前記カメラ用充電回路と前記三脚用二次電池とを電気的に接続して、前記三脚用二次電池に蓄えられた電力を前記カメラ用充電回路に供給可能にした第３状態との間で切り替える電力供給状態切り替え手段を備え、前記制御手段は、前記固定検出手段、及び前記発電検出手段の検出結果に基づいて前記電力供給状態切り替え手段の動作を制御することことが好ましい。
【００１１】
前記回転部材は、前記雲台の高さを調整する操作レバーを兼用していることが好ましい。
【００１２】
前記回転部材の回転力を前記発電手段に伝達可能とする回転力伝達可能状態と、前記回転部材の回転力を前記発電手段に伝達不能とする回転力伝達不能状態との一方を選択する操作部と、前記操作部の操作に応じて前記回転力伝達可能状態と前記回転力伝達不能状態とを切り替える回転力伝達状態切り替え手段とを設けることが好ましい。
【発明の効果】
【００１３】
本発明の三脚は、カメラが載置される雲台と、手動で回転される回転部材と、回転部材で生じた回転力を電力に変換する発電手段と、発電手段による発電を検出する発電検出手段と、カメラを前記雲台に固定する固定手段と、発電手段と前記カメラとを電気的に接続する接続手段と、固定手段によりカメラが雲台に固定されたことを検出する固定検出手段と、発電検出手段、及び固定検出手段によって検出が行われた場合に、発電手段により発生した電力をカメラ用充電回路に供給する制御手段とを備えたので、カメラを大型化させることなく、いつでもどこでも容易にカメラに電力を供給することができる。
【００１４】
また、三脚用二次電池と、この三脚用二次電池に充電を行う三脚用充電回路とを設け、制御手段は、固定検出手段による検出が行われずに発電検出手段による検出が行われた場合、発電手段により発生した電力を三脚用充電回路に供給するので、カメラに供給する電力を予め三脚用二次電池に蓄えておくことができ、カメラへの電力供給を効率的に行うことができるようになる。
【００１５】
また、固定手段によりカメラが雲台に固定されている状態で発電手段で発電された場合、発電手段とカメラ用充電回路とを電気的に接続して、発電手段により発生した電力をカメラ用充電回路に供給可能にした第１状態と、固定手段によりカメラが雲台に固定されていない状態で発電手段で発電された場合、発電手段と三脚用充電回路とを電気的に接続して、発電手段により発生した電力を三脚用充電回路に供給可能にした第２状態と、固定手段によりカメラが雲台に固定されている状態で発電手段で発電されなかった場合、カメラ用充電回路と三脚用二次電池とを電気的に接続して、三脚用二次電池に蓄えられた電力をカメラ用充電回路に供給可能にした第３状態との間で切り替える電力供給状態切り替え手段を備え、制御手段は、固定検出手段、及び発電検出手段の検出結果に基づいて電力供給状態切り替え手段の動作を制御するので、状態に応じた充電を行うことができ、カメラへの電力供給を効率的に行うことができるようになる。
【００１６】
また、回転部材は、雲台の高さを調整する操作レバーを兼用しているので、部品点数を増やすことなくバッテリに充電を行うことができ、さらに、効率的な充電を行うことができる。
【００１７】
また、回転部材の回転力を発電手段に伝達可能とする回転力伝達可能状態と、回転部材の回転力を発電手段に伝達不能とする回転力伝達不能状態との一方を選択する操作部と、操作部の操作に応じて回転力伝達可能状態と回転力伝達不能状態とを切り替える回転力伝達状態切り替え手段とを設けたので、三脚を充電装置としてのみ使いたい場合と、従来の三脚としての機能のみを使いたい場合とで選択することが可能となり、三脚をユーザーの意思に応じた用途で用いることができるようになる。
【発明を実施するための最良の形態】
【００１８】
以下、本発明の実施形態を図面を参照して説明する。図１は本発明の三脚とその三脚に取り付けられるデジタルカメラの構成を示す背面側外観斜視図である。デジタルカメラ２は、カメラボディ３の前面に、撮像レンズを保持したレンズ鏡筒４、背面に、再生画像や撮像される被写体画像が表示されるＬＣＤ５、各種設定を行う際に操作される複数の操作ボタンからなる操作部６、上面に、シャッタレリーズ操作に用いられるシャッタボタン７が設けられている。レンズ鏡筒４は、デジタルカメラ２が電源オフ状態にある際に、カメラボディ３の内部に収納され、電源オンとともにカメラボディ３の前面から突出する。
【００１９】
カメラボディ３の一方の側面には、メモリカード８がセットされるメモリカードスロット９が設けられている。このメモリカードスロット９の奥には、メモリカード８へのデータの読み書きを行なうメモリカードリーダが内蔵されている。メモリカードスロット９は、塵芥の侵入等を防止するために、開閉式の保護カバー１０によって保護されている。また、デジタルカメラ２にはバッテリ室１１が設けられている。カメラボディ３の側面のメモリカードスロット９の下方には、バッテリ室１１にアクセスするための開口部１２が設けられている。この開口部１２は蓋部材１３によって開閉される。バッテリ室１１には充電可能な２次電池であるカメラ用バッテリ（カメラ用二次電池）１４がセットされる。
【００２０】
三脚１７は大きく分けて、脚部１８、基台部１９、雲台２０の３つから構成されている。脚部１８は、パイプ形状をした脚１８ａ〜１８ｃとこの脚１８ａ〜１８ｃよりもやや直径の小さいパイプ形状の伸縮脚１８ｄ〜１８ｆ、伸縮脚１８ｄ〜１８ｆの長さ調整を行う伸縮調整リング２１と、石突２２から構成されている。三脚２の携帯時には、伸縮脚１８ｄ〜１８ｆは脚１８ａ〜１８ｃの内部に収納されており、伸縮調整リング２１を右回転させると伸縮脚１８ｄ〜１８ｆは固定され、左回転させると固定が解除されて伸縮自在となり長さを変えることができる。伸縮脚１８ｄ〜１８ｆの先端部に備えられた石突２２には、滑り止め防止用のゴムキャップが取付けられている。
【００２１】
基台部１９は、基台２３、回転レバー（回転部材）２４、支柱２５、三脚用バッテリ（三脚用二次電池）２６と、基台２３に脚１８ａ〜１８ｃを回動自在にジョイントしているジョイント部（不図示）から構成されている。基台２３の一方の側部には、回転レバー２４が回転自在に取り付けられている。回転レバー２４には、手動で回転レバー２４を回転させる際に把持される取っ手２４ａが設けられている。基台２３には円柱状の支柱２５が貫通しており、支柱２５の上端には雲台２０が固定されている。支柱２５には長手方向にラック（不図示）が設けられている。このラックと回転レバー２４とは複数のギア（不図示）を介して連結されている。回転レバー２４が回転されると、これに連動して支柱２５が上下方向に移動する。このように、回転レバー２４を回転操作することによって伸縮脚１８ｄ〜１８ｆの長さを変えずに雲台２０の位置を上下に調整することができるように構成されている。また、基台２３の他方の側部には、充電可能な二次電池である三脚用バッテリ２６が設けられている。
【００２２】
基台２３の内部には発電機（発電手段）２７や制御基板２８などが設けられている。発電機２７は回転レバー２４に接続されており、回転レバー２４を回転操作することによって得られる回転力を電力に変換する。発電機２７により発生した電力は、カメラ用バッテリ１４、または三脚用バッテリ２６に供給される。制御基板２８はＣＰＵ（制御手段）５０（図２、３参照）を中心に各種回路を備えており、三脚１７の電気的な制御を行っている。
【００２３】
基台２３には切り替えボタン（操作部）２９が設けられている。この切り替えボタン２９をＯＮにすると、シフト機構（回転力伝達状態切り替え手段）６６（図３参照）により回転レバー２４と支柱２５との機械的な接続が断たれるとともに、回転レバー２４と発電機２７とが増速機構６３（図３参照）を介して機械的に接続される。これにより、回転レバー２４の回転力が発電機２７に伝達可能な状態（回転力伝達可能状態）となり、回転レバー２４の操作により発電機２７で発生した電力が三脚用バッテリ２６、またはカメラ用バッテリ１４に供給可能となる。このとき雲台２０の高さ調整を行うことはできない。
【００２４】
また、切り替えボタン２９をＯＦＦにすると、回転レバー２４と支柱２５とが機械的に接続されるとともに、回転レバー２４と発電機２７との機械的な接続が断たれる。これにより、回転レバー２４の回転力が発電機２７に伝達不能な状態（回転力伝達不能状態）となり、回転レバー２４を操作することで、雲台２０の高さ調整を行うことが可能となる。このとき発電機２７で電力を発生させることはできない。
【００２５】
雲台２０は、デジタルカメラ２が載置されるところであり、平板状に形成されている。雲台２０には、挿通孔２０ａ、突起２０ｂ、２０ｃ、２０ｄ、２０ｅが形成されている。挿通孔２０ａは、後述するカメラ固定ネジ（固定手段）４５の外径よりもやや大きく形成されている。デジタルカメラ２を雲台２０に固定する際、挿通孔２０ａにはカメラ固定ネジ４５が挿入される。詳しくは後述するが、突起２０ｂ、２０ｃ、２０ｄ、２０ｅには、順に凹部２０ｆ、２０ｇ、２０ｈ、２０ｉが設けられている。
【００２６】
図２は、デジタルカメラと雲台の要部の構成を示す断面図、及びデジタルカメラと三脚の電気的構成の一部を示すブロック図である。カメラボディ３の底面には、カメラ側充電用プラス端子３４、カメラ側充電用マイナス端子３５、カメラ側固定検出用プラス端子３６、カメラ側固定検出用マイナス端子３７、ネジ取付部３８が設けられている。
【００２７】
カメラ側充電用プラス端子３４、カメラ側充電用マイナス端子３５は、デジタルカメラ２と三脚１７を電気的に接続する接続端子であり、三脚用バッテリ２６に蓄えられた電力や発電機２７で発電した電力をデジタルカメラ２のカメラ側バッテリ１４に供給する際に用いられる。カメラ側固定検出用プラス端子３６、カメラ側固定検出用マイナス端子３７は、デジタルカメラ２と三脚１７を電気的に接続する接続端子であり、カメラ固定ネジ４５によりデジタルカメラ２が三脚１７の雲台２０に固定されたことを検出する際に用いられる。
【００２８】
カメラボディ３の底面には、凹部３ａ、３ｂ、３ｃ、３ｄが形成されており、カメラ側充電用プラス端子３４、カメラ側充電用マイナス端子３５、カメラ側固定検出用プラス端子３６、カメラ側固定検出用マイナス端子３７が順に凹部３ａ、３ｂ、３ｃ、３ｄに設けられている。
【００２９】
後述するカメラ用充電回路６２とカメラ用バッテリ１４は電気的に接続されており、カメラ側充電用プラス端子３４はカメラ用充電回路６２に、カメラ側充電用マイナス端子３５はカメラ用バッテリ１４にリード線を介して接続されている。
【００３０】
ネジ取付部３８はカメラボディ３に固定されている。ネジ取付部３８にはカメラ固定ネジ４５が嵌め込まれるネジ穴３８ａが形成されている。ネジ取付部３８は有底筒状に形成されており、銅や鉄などの導電性の部材からなるプラス端子側導電体３８ｂ、マイナス端子側導電体３８ｃ、及びプラスチックなどの絶縁性の部材からなる絶縁体３８ｄから構成されている。ネジ取付部３８は、底面３８ｅを含む底部と、カメラボディ３の下面に形成された開口３８ｆを含む上部とに大別することができる。ネジ取付部３８の底部はプラス端子側導電体３８ｂからなり、ネジ取付部３８の上部はマイナス端子側導電体３８ｃからなる。プラス端子側導電体３８ｂとマイナス端子側導電体３８ｃとの間には絶縁体３８ｄが介在される。プラス端子側導電体３８ｂはカメラ側固定検出用プラス端子３６に、マイナス端子側導電体３８ｃはカメラ側固定検出用マイナス端子３７にリード線を介して接続されている。
【００３１】
雲台２０の上面には、カメラボディ３に形成された凹部３ａ、３ｂ、３ｃ、３ｄに対応するように順に突起２０ｂ、２０ｃ、２０ｄ、２０ｅが形成されている。突起２０ｂ、２０ｃ、２０ｄ、２０ｅの外径は、凹部３ａ、３ｂ、３ｃ、３ｄの径よりもやや小さくなるように設定されている。突起２０ｂ、２０ｃ、２０ｄ、２０ｅには凹部３ａ、３ｂ、３ｃ、３ｄに対峙するように順に凹部２０ｆ、２０ｇ、２０ｈ、２０ｉが形成されている。
【００３２】
凹部２０ｆ、２０ｇ、２０ｈ、２０ｉには順に三脚側充電用プラス端子３０、三脚側充電用マイナス端子３１、三脚側固定検出用プラス端子３２、三脚側固定検出用マイナス端子３３が設けられている。
【００３３】
三脚側充電用プラス端子３０、三脚側充電用マイナス端子３１は、デジタルカメラ２と三脚１７を電気的に接続する接続端子であり、三脚用バッテリ２６や発電機２７で発電した電力をデジタルカメラ２のカメラ用バッテリ１４に供給する際に用いられる。三脚側固定検出用プラス端子３２、三脚側固定検出用マイナス端子３３は、デジタルカメラ２と三脚１７を電気的に接続する接続端子であり、カメラ固定ネジ４５によりデジタルカメラ２が三脚１７の雲台２０に固定されたことを検出する際に用いられる。
【００３４】
後述する整流回路６４と発電機２７は電気的に接続されている。また、後述する三脚用充電回路６８と三脚用バッテリ２６は電気的に接続されている。三脚側充電用プラス端子３０は、プラス側第１スイッチ（電力供給状態切り替え手段）３９、及びプラス側第２スイッチ（電力供給状態切り替え手段）４０を介して整流回路６４に接続されている。三脚側充電用マイナス端子３１は、マイナス側第１スイッチ（電力供給状態切り替え手段）４１、及びマイナス側第２スイッチ（電力供給状態切り替え手段）４２を介して発電機２７に接続されている。さらに、三脚側充電用プラス端子３０は、プラス側第１スイッチ３９を介して三脚用バッテリ２６のプラス端子に接続されている。三脚側充電用マイナス端子３１は、マイナス側第１スイッチ４１を介して三脚用バッテリ２６のマイナス端子に接続されている。
【００３５】
また、整流回路６４はプラス側第２スイッチ４０、及び三脚用充電回路６８を介して三脚用バッテリ２６のプラス端子に接続され、発電機２７はマイナス側第２スイッチ４２を介して三脚用バッテリ２６のマイナス端子に接続されている。
【００３６】
三脚側固定検出用プラス端子３２、三脚側固定検出用マイナス端子３３は、リード線を介してＣＰＵ６５に接続されている。
【００３７】
デジタルカメラ２が雲台２０にセットされた際には、凹部３ａに突起２０ｂが、凹部３ｂに突起２０ｃが、凹部３ｃに突起２０ｄが、凹部３ｄに突起２０ｅが挿入され、三脚側充電用プラス端子３０がカメラ側充電用プラス端子３４に、三脚側充電用マイナス端子３１がカメラ側充電用マイナス端子３５に、三脚側固定検出用プラス端子３２がカメラ側固定検出用プラス端子３６に、三脚側固定検出用マイナス端子３３がカメラ側固定検出用マイナス端子３７に接触する。
【００３８】
このように、カメラ側充電用プラス端子３４、カメラ側充電用マイナス端子３５、三脚側充電用プラス端子３０、及び三脚側充電用マイナス端子３１によって第１接続コネクタ（接続手段）４３が構成され、カメラ側固定検出用プラス端子３６、カメラ側固定検出用マイナス端子３７、三脚側固定検出用プラス端子３２、及び三脚側固定検出用マイナス端子３３によって第２接続コネクタ４４が構成される。
【００３９】
カメラ固定ネジ４５は、ネジ部４５ａと把持部４５ｂとから構成されている。ネジ部４５ａの一端は把持部４５ｂに固着されている。ネジ部４５ａは、挿通孔２０ａやネジ穴３８ａに嵌入される部分である。ネジ部４５ａの外面には、ねじ山４５ｃが形成され、内部には中空部４５ｄが形成されている。
【００４０】
ネジ部４５ａは、銅や鉄などの導電性の部材からなる第１導電体４５ｅ、第２導電体４５ｆ、及びプラスチックなどの絶縁性の部材からなる絶縁体４５ｇから構成されている。ネジ部４５ａは、先端面４５ｈを含む先端部と、把持部４５ｂ側の後端部とに大別することができる。ネジ部４５ａの先端部は第１導電体４５ｅからなり、ネジ部４５ａの後端部は第２導電体４５ｆからなる。第１導電体４５ｅと第２導電体４５ｆとの間には絶縁体４５ｇが介在される。
【００４１】
ネジ部４５ａの先端面４５ｈにはピエゾ素子からなる圧電センサ４６が設けられている。圧電センサ４６は押圧を受けることによりＯＦＦ状態からＯＮ状態になる。圧電センサ４６のプラス端子（不図示）はリード線４７を介して第１導電体４５ｅに接続され、圧電センサ４６のマイナス端子（不図示）はリード線４７を介して第２導電体４５ｆに接続されている。
【００４２】
カメラ固定ネジ４５のネジ部４５ａが雲台２０の挿入孔２０ａを通してネジ取り付け部３８のネジ穴３８ａに嵌め込まれると、第１導電体４５ｅがネジ取り付け部３８のプラス端子側導電体３８ｂに、ネジ部４５ａの絶縁体４５ｇがネジ取り付け部３８の絶縁体３８ｄに、第２導電体４５ｆがネジ取り付け部３８のマイナス端子側導電体３８ｃに接触する。
【００４３】
把持部４５ｂは、カメラ固定ネジ４５を挿通孔２０ａやネジ穴３８ａに嵌め込む際に把持される部分であり、合成樹脂材で形成されている。カメラ固定ネジ４５のネジ部４５ａが挿通孔２０ａを通してネジ取付部３８のネジ穴３８ａに嵌め込まれると、デジタルカメラ２が雲台２０に固定される。そして、カメラ固定ネジ４５のネジ部４５ａがネジ穴３８ａに完全に嵌め込まれると、圧電センサ４６がネジ取り付け部３８の底面３８ｅによって押圧される。
【００４４】
図３は、デジタルカメラ２と三脚１７の電気的構成を示すブロック図である。なお、便宜上、図３では、プラス側第１スイッチ３９とプラス側第２スイッチ４０を図示し、マイナス側第１スイッチ４１とマイナス側第２スイッチ４２の図示を省略する。詳しくは図示しないが、レンズ鏡筒４には、焦点調整を行うフォーカス用モータと、ズーミングを行うズーム用モータとが組み込まれている。これらのモータは、デジタルカメラ２全体を制御するＣＰＵ４７に接続されたモータドライバ４８によって駆動制御される。また、レンズ鏡筒４内には、絞り兼用のシャッタユニットが組み込まれており、このシャッタユニットもＣＰＵ４７によって制御される。
【００４５】
操作部６やシャッタボタン７で操作を行うと、操作に応じた操作信号がＣＰＵ４７に送出される。これらの操作信号に基づいて、ＣＰＵ４７は、各部を制御して撮影のためのシーケンスを実行する。
【００４６】
レンズ鏡筒４の背後には、撮影レンズ４を透過した被写体光が撮像されるＣＣＤ４９が配置されている。このＣＣＤ４９には、ＣＰＵ４７によって制御されるタイミングジェネレータ５０からタイミング信号（クロック信号）が入力される。ＣＣＤ４９から出力された信号は、相関二重サンプリング回路（ＣＤＳ）５１に入力され、ＣＣＤ４９の各セルの蓄積電荷量に正確に対応したＲ、Ｇ、Ｂの画像データとして出力される。ＣＤＳ５１から出力された画像データは、増幅器（ＡＭＰ）５２で増幅され、Ａ／Ｄ変換器５３でデジタルデータに変換される。
【００４７】
画像入力コントローラ５４は、データバス５５を介してＣＰＵ４７に接続されており、ＣＰＵ４７の命令によってＣＣＤ４９，ＣＤＳ５１，ＡＭＰ５２，Ａ／Ｄ変換器５３を制御する。また、Ａ／Ｄ変換器５３から出力された画像データをビデオメモリ５６、あるいはバッファメモリ５７に書き込む。
【００４８】
ビデオメモリ５６は、ＬＣＤ５をビューファインダとして使用する際に、解像度の低い画像データが一時的に記録される。ビデオメモリ５６に記録された画像データは、データバス５５を介してＬＣＤドライバ５８に送られ、ＬＣＤ５に表示される。バッファメモリ５７は、撮像された高解像度の画像データが一時的に記録される。
【００４９】
画像信号処理回路５９は、撮像された高解像度の画像データがバッファメモリ５７内に記録されている間に、例えば階調変換、色変換、画像の超低周波輝度成分の階調を圧縮するハイパートーン処理、粒状を抑制しながらシャープネスを強調するハイパーシャープネス処理等の画像処理を施す。圧縮処理回路６０は、画像信号処理回路５９で処理済みのデータをＪＰＥＧなどの圧縮形式で圧縮する。この圧縮された画像データが、メディアコントローラ６１によって駆動制御されるメモリカードリーダ (不図示）によりメモリカード８に書き込まれる。
【００５０】
デジタルカメラ２がカメラ固定ネジ４５によって三脚１７の雲台２０に固定されると、第１接続コネクタ４３を介して、三脚１７の発電機２７とデジタルカメラ２のカメラ用充電回路６２とが電気的に接続される。カメラ用充電回路６２はカメラ用バッテリ１４への充電を実行するための回路である。カメラ用充電回路６２は、特に図示しないが、発電機２７や三脚用バッテリ２６から送られた電気を蓄えるコンデンサ、カメラ用バッテリ１４が過充電にならないように上限の充電電圧を制御する電圧制御回路、電流が一定になるように制御する電流制御回路、カメラ用バッテリ１４からカメラ用充電回路６２へ電流が逆流することを防ぐ逆電流防止ダイオードなどから構成されている。これにより、デジタルカメラ２が三脚１７の雲台２０にセットされた場合、発電機２７で発生した電力、あるいは三脚用バッテリ２６に蓄えられている電力が、カメラ用充電回路６２を介してカメラ用バッテリ１４に供給される。
【００５１】
回転レバー２４は増速機構６３を介して発電機２７に接続されている。手動で回転させる回転レバー２４の回転数は、ギア列からなる増速機構６３で増大されて発電機２７に伝えられる。発電機２７によって出力される交流電流は、整流回路６４で整流されて、ほぼ直流の電流として出力される。
【００５２】
三脚１７のＣＰＵ６５は、三脚１７の各部の作動を制御している。切り替えボタン２９をＯＮにすると、切り替えボタン２９からＣＰＵ６５に、回動レバー２４と支柱２５との接続を断ち、且つ回転レバー２４の回転力を発電機２７に伝達可能にするようにシフト機構６６を作動させるための命令信号が出力される。切り替えボタン２９をＯＦＦにすると、切り替えボタン２９からＣＰＵ６５に、回動レバー２４と支柱２５とを接続し、且つ回転レバー２４の回転力を発電機２７に伝達不能にするようにシフト機構６６を作動させるための命令信号が出力される。
【００５３】
シフト機構６６は、増速機構６３や回転レバー２４を移動させるものである。シフト機構６６は、例えば、特に図示しないが、ドライバを介してＣＰＵ６５によって制御されているモータ、このモータの駆動力によって動作するベルト、ラックアンドピニオン、リンク機構などから構成されている。切り替えボタン２９をＯＮにすると、シフト機構６６は、回転レバー２４及び増速機構６３を移動させて、回転レバー２４からの動力が支柱２５に伝達されないように、回転レバー２４と支柱２５との連結を解除させるとともに、回転レバー２４の回転力が発電機２７に伝達可能となるように、回動レバー２４と増速機構６３とを連結させる。また、切り替えボタン２９をＯＦＦにすると、シフト機構６６は、回転レバー２４及び増速機構６３を移動させて、回転レバー２４からの動力が支柱２５に伝達されるように、回転レバー２４と支柱２５とを連結させるとともに、回転レバー２４の回転力が発電機２７に伝達不能となるように、回動レバー２４と増速機構６３との連結を解除させる。
【００５４】
なお、シフト機構６６としてクラッチを用いても良い。この場合、切り替えボタン２９とクラッチとを機械的に連結するとともに、回転レバ２４ー、支柱２５、及び発電機２７をクラッチを介して連結する。そして、クラッチを切り替えボタン２９の操作に連動させることにより、回転レバー２４と支柱２５の連結及び切り離し、回転レバー２４と増速機構６３の連結及び切り離しを行うようにすれば良い。
【００５５】
発電センサ（発電検出手段）６７は発電機２７に接続されており、発電機２７に流れる電流、または発電機２７にかかる電圧を測定することで、発電機２７で電力が発生したか否かを検出する。発電センサ６７が、発電機２７で電力が発生したことを検出すると、発電センサ６７からＣＰＵ６５に発電機２７で電力が発生したことを表す発電検出信号が出力される。
【００５６】
圧電センサ（固定検出手段）４６はカメラ固定ネジ４５によりデジタルカメラ２が三脚１７の雲台２０に固定されたことを検出する。圧電センサ４６は、ネジ取り付け部３８の底面３８ｅに押圧されることによってＯＮ／ＯＦＦ状態の切り替えが行われる。圧電センサ４６は、カメラ固定ネジ４５がネジ取り付け部３８に嵌め込まれていない時、押圧されずにＯＦＦ状態となっている。カメラ固定ネジ４５のネジ部４５ａがネジ取り付け部３８に完全に嵌め込まれて、カメラ固定ネジ４５によりデジタルカメラ２が三脚１７の雲台２０に固定されると、圧電センサ４６は、ネジ取り付け部３８の底面３８ｅによって押圧され、ＯＮ状態になる。ＯＮ状態になると、圧電センサ４６から第２接続コネクタ４４を介してＣＰＵ６５に、カメラ固定ネジ４５によりデジタルカメラ２が雲台２０に固定されたこと表す固定検出信号が出力される。ＣＰＵ６５は、固定検出信号の有無を監視することにより、圧電センサ４６がＯＮ状態であるかＯＦＦ状態であるかを判断する。
【００５７】
三脚用充電回路６８は上述したカメラ用充電回路６２と同様の構成をしており、三脚用バッテリ２６に充電を行う。デジタルカメラ２が三脚１７にセットされていない場合、発電機２７で発生した電力は三脚用充電回路６８を介して三脚用バッテリ１４に供給される。
【００５８】
図２に示すように、ＣＰＵ６５には、プラス側第１スイッチ３９、マイナス側第１スイッチ４１、プラス側第２スイッチ４０、マイナス側第２スイッチ４２が接続されている。プラス側第１スイッチ３９は、可動片６９と第１〜第３端子３９ａ〜３９ｃとから構成され、可動片６９の一端が第１端子３９ａに接続されており、他端が第２端子３９ｂと第３端子３９ｃとの間で移動自在となっている。また、第１端子３９ａは第１接続コネクタ４３の三脚側充電用プラス端子３０に、第３端子３９ｃは三脚用バッテリ２６のプラス端子に接続されている。
【００５９】
マイナス側第１スイッチ４１は、可動片７０と第１〜第３端子４１ａ〜４１ｃとから構成され、可動片７０の一端が第１端子４１ａに接続されており、他端が第２端子４１ｂと第３端子４１ｃとの間で移動自在となっている。また、第１端子４１ａは第１接続コネクタ４３の三脚側充電用マイナス端子３１に、第３端子４１ｃは三脚用バッテリ２６のマイナス端子に接続されている。
【００６０】
プラス側第２スイッチ４０は、可動片７１と第１〜第３端子４０ａ〜４０ｃとから構成され、可動片７１の一端が第１端子４０ａに接続されており、他端が第２端子４０ｂと第３端子４０ｃとの間で移動自在となっている。また、第１端子４０ａは整流回路６４のプラス端子に接続されている。第２端子４０ｂはプラス側第１スイッチ３９の第２端子３９ｂに、第３端子４０ｃは三脚用充電回路６８のプラス端子に接続されている。
【００６１】
マイナス側第２スイッチ４２は、可動片７２と第１〜第３端子４２ａ〜４２ｃとから構成され、可動片７２の一端が第１端子４２ａに接続されており、他端が第２端子４２ｂと第３端子４２ｃとの間で移動自在となっている。また、第１端子４２ａは発電機２７のマイナス端子に接続されている。第２端子４２ｂはマイナス側第１スイッチ４１の第２端子４１ｂに、第３端子４２ｃは三脚用バッテリ２６のマイナス端子に接続されている。
【００６２】
切り替えボタン２９がＯＮされた状態で、ＣＰＵ６５に固定検出信号及び発電検出信号が入力された場合、ＣＰＵ６５は、プラス側第１スイッチ３９の第１端子３９ａと第２端子３９ｂとを導通させ、同時にマイナス側第１スイッチ４１の第１端子４１ａと第２端子４１ｂとを導通させるようにプラス側第１スイッチ３９とマイナス側第１スイッチ４１との動作を制御する第１制御信号をプラス側第１スイッチ３９、及びマイナス側第１スイッチ４１に出力するとともに、プラス側第２スイッチ４０の第１端子４０ａと第２端子４０ｂとを導通させ、同時にマイナス側第２スイッチ４２の第１端子４２ａと第２端子４２ｂとを導通させるようにプラス側第２スイッチ４０とマイナス側第２スイッチ４２との動作を制御する第２制御信号をプラス側第２スイッチ４０、及びマイナス側第２スイッチ４２に出力する。
【００６３】
第１制御信号がプラス側第１スイッチ３９に入力されると、プラス側第１スイッチ３９の可動片６９の他端が、第２端子３９ｂに当接し、第１端子３９ａと第２端子３９ｂとが導通する。第１制御信号がマイナス側第１スイッチ４１に入力されると、マイナス側第１スイッチ４１の可動片７０の他端が、第２端子４１ｂに当接し、第１端子４１ａと第２端子４１ｂとが導通する。
【００６４】
また、第２制御信号がプラス側第２スイッチ４０に入力されると、プラス側第２スイッチ４０の可動片７１の他端が、第２端子４０ｂに当接し、第１端子４０ａと第２端子４０ｂとが導通する。第２制御信号がマイナス側第２スイッチ４２に入力されると、マイナス側第２スイッチ４２の可動片７２の他端が、第２端子４２ｂに当接し、第１端子４２ａと第２端子４２ｂとが導通する。これにより、発電機２７とカメラ用充電回路６２が電気的に接続され、発電機２７で発生した電力がカメラ用充電回路６２４６に供給可能な状態（第１状態）となる。
【００６５】
切り替えボタン２９がＯＮされた状態で、ＣＰＵ６５に固定検出信号が入力されずに発電検出信号が入力された場合、ＣＰＵ６５は、プラス側第２スイッチ４０に、プラス側第２スイッチ４０の第１端子４０ａと第３端子４０ｃとを導通させ、同時にマイナス側第２スイッチ４２の第１端子４２ａと第３端子４２ｃとを導通させるようにプラス側第２スイッチ４０とマイナス側第２スイッチ４２との動作を制御する第３制御信号をプラス側第２スイッチ４０、及びマイナス側第２スイッチ４２に出力する。
【００６６】
第３制御信号がプラス側第２スイッチ４０に入力されると、プラス側第２スイッチ４０の可動片７１の他端は、第３端子４０ｃに当接し、第１端子４０ａと第３端子４０ｃとが導通する。第３制御信号がマイナス側第２スイッチ４２に入力されると、マイナス側第２スイッチ４２の可動片７２の他端は、第３端子４２ｃに当接し、第１端子４２ａと第３端子４２ｃとが導通する。これにより、発電機２７と三脚用充電回路６８が電気的に接続され、発電機２７で発生した電力が三脚用充電回路６８に供給可能な状態（第２状態）となる。
【００６７】
切り替えボタン２９がＯＮされた状態で、ＣＰＵ６５に固定検出信号が入力され、発電検出信号が入力されなかった場合、ＣＰＵ６５はプラス側第１スイッチ３９の第１端子３９ａと第３端子３９ｃとを導通させ、同時にマイナス側第１スイッチ４１の第１端子４１ａと第３端子４１ｃとを導通させるようにプラス側第１スイッチ３９とマイナス側第１スイッチ４１との動作を制御する第４制御信号をプラス側第１スイッチ３９、及びマイナス側第１スイッチ４１に出力する。
【００６８】
第４制御信号がプラス側第１スイッチ３９に入力されると、プラス側第１スイッチ３９の可動片６９の他端が、第３端子３９ｃに当接し、第１端子３９ａと第３端子３９ｃとが導通する。第４制御信号がマイナス側第１スイッチ４１に入力されると、マイナス側第１スイッチ４１の可動片７０の他端が第３端子４１ｃに当接し、第１端子４１ａと第３端子４１ｃとが導通する。これにより、三脚用バッテリ２６とカメラ用充電回路６２が電気的に接続され、三脚用バッテリ２６に蓄えられた電力がカメラ用充電回路６２に供給可能な状態（第３状態）となる。
【００６９】
次に上記構成の作用を図４に示すフローチャートに従って説明する。三脚１７の切り替えボタン２９をＯＮにすると、ＣＰＵ６５はシフト機構６６に命令信号を出力する。この命令信号がシフト機構６６に入力されると、シフト機構６６は、回転レバー２４が操作された際に生じる動力を支柱２５に伝達させないように、回転レバー２４を移動させて、回転レバー２４と支柱２５との連結を解除する。さらに、シフト機構６６は、回転レバー２４が操作された際に生じる回転力を増速機構６３を介して発電機２７に伝達させるように、増速機構６３を移動させて、回転レバー２４と増速機構６３とを連結する。
【００７０】
次に、デジタルカメラ２の凹部３ａ、３ｂ、３ｃ、３ｄに雲台２０の突起２０ｂ、２０ｃ、２０ｄ、２０ｅが挿入されるように、デジタルカメラ２を雲台２０に載せる。これにより、三脚側充電用プラス端子３０がカメラ側充電用プラス端子３４に、三脚側充電用マイナス端子３１がカメラ側充電用マイナス端子３５に、三脚側固定検出用プラス端子３２がカメラ側固定検出用プラス端子３６に、三脚側固定検出用マイナス端子３３がカメラ側固定検出用マイナス端子３７に接触する。そして、カメラ固定ネジ４５のネジ部４５ａを雲台２０の挿入孔２０に挿入し、デジタルカメラ２のネジ取り付け部３８のネジ穴３８ａに嵌め込み、デジタルカメラ２を雲台２０に固定する。
【００７１】
カメラ固定ネジ４５のネジ部４５ａがデジタルカメラ２のネジ取り付け部３８に完全に嵌め込まれると、やがてカメラ固定ネジ４５の圧電センサ４６はネジ取り付け部３８の底面３８ｅに押圧される。これにより圧電センサ４６はＯＮ状態になり、ＣＰＵ６５に固定検出信号を出力する。手動で回転レバー２４が回転されると、増速機構６３が回転レバー２４の回転数を増大させ、この増大した回転力を発電機２７に伝達する。発電機２７は、増速機構６３を介して得た回転レバー２４の回転力を電力に変換する。発電機２７で電力が発生すると、発電センサ６７がＣＰＵ６５に発電検出信号を出力する。
【００７２】
固定検出信号及び発電検出信号を受信したＣＰＵ６５は、プラス側第１スイッチ３９の第１端子３９ａと第２端子３９ｂとを導通させ、同時にマイナス側第１スイッチ４１の第１端子４１ａと第２端子４１ｂとを導通させる。さらに、プラス側第２スイッチ４０の第１端子４０ａと第２端子４０ｂとを導通させ、同時にマイナス側第２スイッチ４２の第１端子４２ａと第２端子４２ｂとを導通させる。これにより、発電機２７で発生した電力が、第１接続コネクタ４３、およびカメラ用充電回路６２を介してカメラ用バッテリ１４に供給される。
【００７３】
デジタルカメラ２を雲台２０に固定せずに、手動で回転レバー２４が回転されると、ＣＰＵ６５には圧電センサ４６からの固定検出信号は入力されず、発電センサ６７からの発電検出信号だけが入力される。発電検出信号を受信したＣＰＵ６５は、プラス側第２スイッチ４０の第１端子４０ａと第３端子４０ｃとを導通させ、同時にマイナス側第２スイッチ４２の第１端子４２ａと第３端子４２ｃとを導通させる。これにより、発電機２７で発生した電力が三脚用充電回路６８を介して三脚用バッテリ２６に供給される。
【００７４】
デジタルカメラ２を雲台２０に固定し、回転レバー２４が回転されないと、ＣＰＵ６５には発電センサ６７からの発電検出信号は入力されず、圧電センサ４６からの固定検出信号が入力される。固定検出信号を受信したＣＰＵ６５は、プラス側第１スイッチ３９の第１端子３９ａと第３端子３９ｃとを導通させ、同時にマイナス側第１スイッチ４１の第１端子４１ａと第３端子４１ｃとを導通させる。これにより、三脚用バッテリ２６に電力が蓄えられている場合には、三脚用バッテリ２６に蓄えられている電力が、第１接続コネクタ４３、及びカメラ用充電回路６２を介してカメラ用バッテリ１４にされる。
【００７５】
三脚１７の切り替えボタン２９をＯＦＦにすると、回転レバー２４と増速機構６３との連結が解除され、回転レバー２４と支柱２５とが連結される。これにより、回転レバー２４の回転力を支柱２５に伝達することができるようになる。すなわち、回転レバー２４の操作による雲台２０の高さ調整が可能となる。
【００７６】
以上のように、三脚１７に設けられている回転レバー２４を操作することにより発電機２７で発生した電力がカメラ用バッテリ１４や三脚用バッテリ２６に充電されるので、デジタルカメラ２を大型化させることなく、デジタルカメラ２に容易に電力を供給することが可能となる。
【００７７】
上記実施形態では、切り替えボタン２９をＯＦＦにした際、回転レバー２４の回転力を発電機２７に伝達させないようにするために、シフト機構６６により、回転レバー２４及び増速機構６３を移動させたが、回転レバー２４と発電機２７とを移動させるようにしても良い。この場合、切り替えボタン２９をＯＦＦにすると、発電機２７が移動して発電機２７と増速機構６３との連結が断たれる。これにより、回転レバー２４の回転力を発電機２７に伝達させないようにすることができる。また、回転レバー２４のみを移動させるようにしても良い。このように、切り替えボタン２９の操作に応じて、回転レバー２４の回転力を発電機２７に伝達可能にする状態と、回転レバー２４の回転力を発電機２７に伝達不能にする状態との間で切り替えができ、且つ回転レバー２４の回転力を支柱２５に伝達可能にする状態と、回転レバー２４の回転力を支柱２５に伝達不能にする状態との間で切り替えができるように構成されていれば良い。
【００７８】
上記実施形態では、切り替えボタン２９でＯＮ／ＯＦＦの操作を行うことで、雲台２０の高さ調整と、バッテリへの充電とを別個にして行うようにしたが、これに限ることなく、雲台２０の高さ調整と、バッテリへの充電とを同時に行うようにしても良い。この場合、回転レバー２４、支柱２５、及び発電機２７を常に連結した状態にしておき、回転レバー２４を操作することで、支柱２５と発電機２７との双方に同時に動力が伝達されるように構成すれば良い。また、雲台２０の高さ調整のみを行う第１モード、バッテリへの充電のみを行う第２モード、雲台２０の高さ調整と、バッテリへの充電とを同時に行う第３モードの各モードを切り替えボタン２９で選択できるようにしても良い。
【００７９】
上記実施形態では、カメラ固定ネジ４５のネジ部４５ａ先端に圧電センサ４６を設けたが、これに限ることなく、マイクロスイッチを設けても良い。具体的には、カメラ固定ネジ４５のネジ部４５ａをネジ取り付け部３８に嵌め込む際にマイクロスイッチの被押圧部がネジ取り付け部３８の底面３８ｅに対峙するようにマイクロスイッチをネジ部４５ａの先端に設置し、マイクロスイッチの被押圧部をネジ取り付け部３８の底面３８ｅで押圧することによってＯＮ／ＯＦＦ状態の切り替えが行われるようにすれば良い。すなわち、カメラ固定ネジ４５がネジ取り付け部３８に取り付けられていない場合、マイクロスイッチはＯＦＦ状態になっており、カメラ固定ネジ４５のネジ部４５ａがネジ取り付け部３８に完全に嵌め込まれたとき、ネジ取り付け部３８の底面３８ｅがマイクロスイッチの被押圧部を押圧してＯＮ状態になる。なお、マイクロスイッチに限らず、フォトセンサなどの各種センサを用いても良く、カメラ固定ネジ４５によりデジタルカメラ２が雲台２０に固定されたことを検出するものであればどのようなものであっても良い。
【００８０】
上記実施形態では、回転レバー２４は、バッテリへの充電を行う際に操作される操作レバーとしての機能と、雲台２０の高さを調整する際に操作される操作レバーとしての機能とを兼ね備えているが、バッテリへの充電を行う際に操作される操作レバーと、雲台２０の高さを調整する際に操作される操作レバーとを別個に設けても良い。
【図面の簡単な説明】
【００８１】
【図１】本発明の三脚、及びその三脚に取り付けられるデジタルカメラの構成を示す背面側外観斜視図である。
【図２】デジタルカメラと雲台の要部の構成を示す断面図、及びデジタルカメラと三脚の電気的構成の一部を示すブロック図である。
【図３】三脚及びデジタルカメラの電気的構成を示すブロック図である。
【図４】バッテリに充電を行うときの処理を示すフローチャートである。
【符号の説明】
【００８２】
２  デジタルカメラ（カメラ）
１４  カメラ用バッテリ（カメラ用二次電池）
１７  三脚
２０  雲台
２４  回転レバー（回転部材）
２６  三脚用バッテリ（三脚用二次電池）
２７  発電機（発電手段）
２９  切り替えボタン（操作部）
３９  プラス側第１スイッチ（電力供給状態切り替え手段）
４０  プラス側第２スイッチ（電力供給状態切り替え手段）
４１  マイナス側第１スイッチ（電力供給状態切り替え手段）
４２  マイナス側第２スイッチ（電力供給状態切り替え手段）
４５  カメラ固定ネジ（固定手段）
６２  カメラ用充電回路
６５  ＣＰＵ（制御手段）
６６  シフト機構（回転力伝達状態切り替え手段）
６７  発電センサ（発電検出手段）
４６  圧電センサ（固定検出手段）
６８  三脚用充電回路
【図１】
2005345908.tif 000003
【図２】
2005345908.tif 000004
【図３】
2005345908.tif 000005
【図４】
2005345908.tif 000006